(57)【特許請求の範囲】
【請求項１】
鋼板の熱間圧延ラインに設置される鋼板の冷却設備であって、搬送される鋼板の下方において、鋼板の搬送方向に斜行して配置された複数の保護板と、鋼板の下面に冷却水を供給するために保護板と保護板の間に鋼板の搬送方向に斜行して設けられたノズル列とを備え、該ノズル列には鋼板の板幅方向に一定ピッチで描いた仮想線上にそれぞれ同数の管状ノズルが配置されているとともに、前記管状ノズルを取り付けたヘッダは、前記テーブルローラの軸心より低い位置に位置しており、前記管状ノズルの上端は、その噴出口が前記ヘッダ上面に滞留する冷却水に水没しないように、鋼板を搬送するテーブルローラの軸心より高い位置で且つ前記保護板の上端より低い位置に位置していることを特徴とする鋼板の冷却設備。
【請求項２】
前記管状ノズルは円管ノズルであり、ノズルの内径は３〜８ｍｍで、噴射速度は１〜１０ｍ／ｓであることを特徴とする請求項１に記載の鋼板の冷却設備。
【請求項３】
鋼板の熱間圧延ラインで鋼板を製造する鋼板の製造方法であって、搬送される鋼板の下方において、鋼板の搬送方向に斜行して複数の保護板を配置するとともに、鋼板の下面に冷却水を供給するために保護板と保護板の間に鋼板の搬送方向に斜行してノズル列を設け、該ノズル列には鋼板の板幅方向に一定ピッチで描いた仮想線上にそれぞれ同数の管状ノズルを配置するとともに、前記管状ノズルを取り付けたヘッダを、前記テーブルローラの軸心より低い位置に位置させ、前記管状ノズルの上端を、その噴出口が前記ヘッダ上面に滞留する冷却水に水没しないように、鋼板を搬送するテーブルローラの軸心より高い位置で且つ前記保護板の上端より低い位置に位置させることを特徴とする鋼板の製造方法。
【請求項４】
前記管状ノズルは円管ノズルであり、ノズルの内径は３〜８ｍｍで、噴射速度は１〜１０ｍ／ｓであることを特徴とする請求項３に記載の鋼板の製造方法。
【発明の詳細な説明】
【技術分野】
【０００１】
本発明は、鋼板の冷却設備および製造方法に関するものである。
【背景技術】
【０００２】
熱間圧延により鋼板を製造するプロセスでは、圧延温度を制御するのに冷却水を供給したり、空冷を行ったりするのが一般的であるが、近年、高い冷却速度を得て組織を微細化し、鋼板の強度を上げる技術の開発が盛んである。
【０００３】
例えば、冷却水を供給して熱鋼板を冷却する技術として、特許文献１に記載の技術がある。これは、図７に示すように、テーブルローラ１３間にエプロンを兼ねたヘッダ５１を設置し、ヘッダ５１上面に多数の孔、いわゆる多孔ノズル５２を設け、ここから棒状の冷却水５３を鋼板１０下面に供給する技術である。比較的多量の冷却水を鋼板に供給することで、高い冷却速度が得られるとされている。
【０００４】
また、冷却水を供給して鋼板を冷却する別の技術として、特許文献２に記載の技術がある。これは、ノズルをハニカム状に配置して、効率のよい冷却を行うことができるものとされている。
【特許文献１】特開昭６２−２５９６１０号公報
【特許文献２】特開平１０−２６３６６９号公報
【発明の開示】
【発明が解決しようとする課題】
【０００５】
しかしながら、前記特許文献１、２に記載の技術は、設備保全性、冷却水を鋼板下面に供給した後の排水性、さらには冷却の均一性において大きな問題点がある。
【０００６】
特許文献１に記載の技術では、図７に示すように、下面冷却設備５０のヘッダ５１がテーブルローラ１４間のエプロンを兼ねる構造となっているので、先端が下方に反った鋼板１０が進入してきた場合にはヘッダ５１に当たり、ヘッダ５１を破損するという問題がある。ヘッダ５１が破損してノズル孔５２がつぶれたり、変形したりすれば、冷却の均一性が著しく損なわれるので、この技術を長期にわたって使用する場合には、ヘッダ（エプロン）５１を頻繁に取り替えるなどしなければならず、設備保全性の上で問題がある。
【０００７】
また、冷却水５３は鋼板１０に供給された後に落下すると、ヘッダ（エプロン）５１上に溜まって水膜５４を作る。エプロンとなるヘッダ５１上面にあけた孔がそのままノズル５２になっているので、新たに供給された冷却水はこの水膜５４を破って鋼板１０下面に供給されなければならないが、冷却水量を増やそうとすればするほど水膜５４が厚くなるので冷却の効率が悪くなるという問題がある。
【０００８】
さらに、冷却水がヘッダ（エプロン）５１の端部とテーブルローラ１４との間の狭い隙間を通ってしか排水されないので、この排水が新たに供給される冷却水による冷却を阻害し、冷却水を効率よく使用することができない。
【０００９】
一方、特許文献２に記載の技術についても、それを熱間圧延ラインで鋼板の下面を冷却する際に用いると、先端が下方に反った鋼板が進入してきた場合にノズルに当たり、ノズルを破損するという問題がある。ノズル間に保護板を設置することによって、鋼板の先端がノズルに衝突することを避けようとすることも考えられるが、ノズルが鋼板の搬送方向にも幅方向にも１／２ピッチずつずらして配置されているので、ノズル同士の間隔が狭すぎるため、適切な保護板を設置することができない。したがって、被冷却材がノズルに衝突する心配がないプロセスでしか用いることができず、熱間圧延ラインでの鋼板の冷却に用いることはできない。
【００１０】
本発明は、上記のような事情に鑑みてなされたものであり、設備保全性がよく、多量の冷却水を鋼板下面に供給する場合の排水性にすぐれ、効率のよい冷却を幅方向に均一に行って高冷却速度を実現する鋼板の冷却設備および品質の高い鋼板を製造する方法を提供することを目的とするものである。
【課題を解決するための手段】
【００１１】
上記の課題を解決するために、本発明は以下の特徴を有する。
【００１２】
［１］鋼板の熱間圧延ラインに設置される鋼板の冷却設備であって、搬送される鋼板の下方において、鋼板の搬送方向に斜行して配置された複数の保護板と、鋼板の下面に冷却水を供給するために保護板と保護板の間に鋼板の搬送方向に斜行して設けられたノズル列とを備え、該ノズル列には鋼板の板幅方向に一定ピッチで描いた仮想線上にそれぞれ同数の管状ノズルが配置されているとともに、前記管状ノズルを取り付けたヘッダは、前記テーブルローラの軸心より低い位置に位置しており、前記管状ノズルの上端は、その噴出口が前記ヘッダ上面に滞留する冷却水に水没しないように、鋼板を搬送するテーブルローラの軸心より高い位置で且つ前記保護板の上端より低い位置に位置していることを特徴とする鋼板の冷却設備。
【００１５】
［２］前記管状ノズルは円管ノズルであり、ノズルの内径は３〜８ｍｍで、噴射速度は１〜１０ｍ／ｓであることを特徴とする前記［１］に記載の鋼板の冷却設備。
【００１６】
［３］鋼板の熱間圧延ラインで鋼板を製造する鋼板の製造方法であって、搬送される鋼板の下方において、鋼板の搬送方向に斜行して複数の保護板を配置するとともに、鋼板の下面に冷却水を供給するために保護板と保護板の間に鋼板の搬送方向に斜行してノズル列を設け、該ノズル列には鋼板の板幅方向に一定ピッチで描いた仮想線上にそれぞれ同数の管状ノズルを配置するとともに、前記管状ノズルを取り付けたヘッダを、前記テーブルローラの軸心より低い位置に位置させ、前記管状ノズルの上端を、その噴出口が前記ヘッダ上面に滞留する冷却水に水没しないように、鋼板を搬送するテーブルローラの軸心より高い位置で且つ前記保護板の上端より低い位置に位置させることを特徴とする鋼板の製造方法。
【００１９】
［４］前記管状ノズルは円管ノズルであり、ノズルの内径は３〜８ｍｍで、噴射速度は１〜１０ｍ／ｓであることを特徴とする前記［３］に記載の鋼板の製造方法。
【発明の効果】
【００２０】
本発明においては、鋼板下面に冷却水を供給する管状ノズルが保護板によって保護されるようにしているので、先端が下方に反った鋼板が進入してきた場合でも、管状ノズルの損傷が防止されて、設備保全性がよいとともに、所定の配列で管状ノズルが配置されているので、多量の冷却水を鋼板下面に供給した場合でも、管状ノズル同士の隙間から冷却水がスムースに排水されて、排水性に優れている。その結果、効率のよい冷却を幅方向に均一に行って高冷却速度を実現し、品質の高い鋼板を製造することができる。
【発明を実施するための最良の形態】
【００２１】
本発明の実施形態を以下に説明する。なお、ここでは、本発明を薄鋼板の熱間圧延熱延ラインにおいて、ランアウトテーブルでの鋼板の冷却に用いた場合を例にして述べる。
【００２２】
図１は、本発明が用いられる薄鋼板の熱間圧延熱延ラインの概略を示した図である。１１は加熱炉、１２は粗圧延機と仕上圧延機からなる熱間圧延機列、１３はランアウトテーブルであり、ランアウトテーブル１３の上方には、鋼板１０の上面に冷却水を供給するための上面冷却設備２０が鋼板１０の搬送方向（以下、単に搬送方向という）に所定の間隔で設置され、ランアウトテーブル１３の下方には、テーブルローラ１４の隙間から鋼板１０の下面に冷却水を供給するための下面冷却設備３０が搬送方向に所定の間隔で設置されている。
【００２３】
この熱間圧延熱延ラインにおいては、加熱炉１１から抽出されたスラブが熱間圧延機列１２によって粗圧延と仕上圧延されて、所定の仕上温度にて所定の仕上板厚となった後、ランアウトテーブル１３に搬送され、上面冷却設備２０と下面冷却設備３０から噴射される冷却水によって所定の温度まで冷却される。
【００２４】
そして、図２は、本発明の一実施形態における下面冷却設備３０を示した図であり、図３は、その下面冷却装置３０のノズル配置を示した平面図である。
【００２５】
図２、図３に示すように、下面冷却設備３０は、ヘッダ３１と、搬送方向に斜行してヘッダ３１上面に配置された複数の保護板３４と、隣接する保護板３４同士の間に搬送方向に斜行してヘッダ３１に設けられたノズル列（ここでは２列）とを備え、ノズル列には板幅方向に一定ピッチで描いた仮想線（図３中の破線）３６上にそれぞれ同数（ここでは各１個）の円管ノズル３２が配置されている。そして、棒状の冷却水を噴射する円管ノズル３２の上端（先端）は、保護板３４の上端より低い位置で、かつテーブルローラ１４の軸心１４ａより高い位置に位置している。さらに、円管ノズル３２を取り付けたヘッダ３１は、テーブルローラ１４の軸心１４ａより低い位置に位置している。なお、円管ノズル３２の内径は３〜８ｍｍで、噴射速度は１〜１０ｍ／ｓとしている。また、保護板３４の間隔は等間隔であるのが好ましい。
【００２６】
上記のように構成された下面冷却設備３０においては、鋼板１０下面に棒状冷却水３３を供給する円管ノズル３２が保護板３４によって保護されるので、先端が下方に反った鋼板が進入してきた場合でも、円管ノズル３２の損傷が防止され、設備保全性がよい。そのため、円管ノズル３２が良好な状態のままで長期間にわたって冷却を行うことができるので、設備補修等を行うことなく鋼板の温度むらの発生を防止することができる。
【００２７】
また、所定の配列で円管ノズル３２が配置されているので、多量の冷却水３３を鋼板１０下面に供給した場合でも、円管ノズル３２同士の隙間から冷却水がスムースに排水され、排水性に優れている。さらに、ヘッダ３１がテーブルローラ１４の軸心１４ａより低い位置に位置しているので、ヘッダ３１とテーブルローラ１４の間で冷却水の流れが阻害されることがなく、冷却水が一層スムースに排水される。これにより、ヘッダ３１上面に冷却水が滞留することがなく、円管ノズル３２先端の噴出口が水没することがないので、鋼板１０下面には常に勢いのある冷却水が供給され、効率のよい冷却を行うことができる。
【００２８】
なお、上記において、円管ノズル３２の先端がテーブルローラ１４の軸心１４ａより高い位置に位置するようにしているのは、円管ノズル３２の先端が鋼板１０の下面からあまり離れると、落下冷却水の影響もあり、鋼板１０下面に勢いのある冷却水を供給するために高い噴射圧が必要になるからである。
【００２９】
また、円管ノズル３２の内径を３〜８ｍｍとしているのは、内径が３ｍｍより小さいと、ノズル詰まりが頻繁に発生するおそれがあるほか、噴流が細いので落下冷却水の干渉により鋼板１０下面に到達できない場合が生じて冷却能力が低下するからであり、内径が８ｍｍより大きいと、ノズルの間隔を広げ、噴射速度をある程度低く抑える必要があるので、板幅方向の温度むらが大きくなるうえ冷却能力も低下するからである。
【００３０】
また、円管ノズル３２からの噴射速度を１〜１０ｍ／ｓとしているのは、噴射速度が１ｍ／ｓ未満だと、冷却水が鋼板１０に当たる勢いが弱く、十分な冷却が行われないからであり、噴射速度が１０ｍ／ｓを越えると、異常に高い噴水吹き上げ高さとなって、設備周辺への冷却水の飛散が問題となるからである。
【００３１】
なお、上面冷却設備２０は、円管ノズル等を備えた公知の冷却設備が用いられている。
【００３２】
このようにして、上記のような下面冷却設備３０を用いて、ランアウトテーブル１３上で鋼板１０の冷却を行うことにより、設備保全性と排水性に優れ、効率のよい冷却を幅方向に均一に行って高冷却速度を実現し、品質の高い鋼板を製造することができる。
【００３３】
なお、この実施形態においては、下面冷却設備３０のノズルに円管ノズル３２を用いているが、角管ノズル等の他の管状ノズルを用いてもよい。
【００３４】
また、保護板３４と円管ノズル３２の配置は、図３に示したものに限定されるものではなく、図４に示したもののように、隣接する保護板３４の間にノズル列を３列配置し、仮想線３６上にそれぞれ１個の円管ノズル３２が配置されるようにしてもよい。また、図５、図６に示したもののように、ノズル列を搬送方向に２分割し、その間に板幅方向の保護板３５を通した配置にしてもよい。
【００３５】
さらに、薄鋼板の熱間圧延ラインに用いるだけでなく、厚鋼板の熱間圧延ラインに用いることもできる。
【実施例】
【００３６】
本発明の実施例として、図１に概略を示した薄鋼板の熱間圧延ラインにおいてランアウトテーブル１３での鋼板の冷却を行った。その際、仕上温度は８８０℃、仕上板厚は４ｍｍとし、ランアウトテーブル１３で５５０℃までの冷却を行った。
【００３７】
本発明例として、前記の実施形態に示した下面冷却設備３０を用いて鋼板の下面に棒状の冷却水を供給した。ここで、保護板３４には厚さ２２ｍｍの鋼板を用い、円管ノズル３２の内径は６ｍｍとした。
【００３８】
一方、比較例として、図７に示すように、テーブルローラ１４間にエプロンを兼ねたヘッダ５１を設置した前記特許文献１に記載された冷却設備５０を用いて鋼板１０の下面に棒状の冷却水を供給した。
【００３９】
なお、本発明例、比較例ともに、鋼板下面に供給する冷却水の流量密度は２ｍ３／ｍ２ｍｉｎ、ノズル噴出口と鋼板１０下面との距離は１５０ｍｍとした。また、鋼板１０上面についても、ともに公知の技術を用いて、流量密度１ｍ３／ｍ２ｍｉｎの棒状冷却水を供給した。
【００４０】
本発明例と比較例について、設備保全性と冷却水の排水性、冷却能力の比較を行った結果を表１に示す。
【００４１】
【表１】
0004774887.tif 000002
【００４２】
表１に示すように、比較例では、先端が下方に反った鋼板が進入してきた場合に、エプロンを兼ねるヘッダ上面に衝突して、設備を破損することがあった。それによって、ヘッダ５１上面がへこんだり、噴出口５２が変形したりして、冷却水５３の噴射方向が均等でなくなり、板幅方向の温度むらが３０℃にもなることがあった。そして、設備破損箇所を修理するためのコストがかかるうえ、操業を停止させて生産性が低下することも多かった。
【００４３】
また、鋼板１０下面に供給された後の冷却水がヘッダ３１とテーブルローラ３２間の狭い隙間からしか排水されないため、ヘッダ（エプロン）３１上に溜まって水膜５４を形成し、噴射口５２から噴射する冷却水５３は水膜５４によって勢いが衰えてから鋼板１０下面に到達するので、効率のよい冷却は行われず、上面の冷却と合わせた時の冷却速度は、２０℃／ｓと低かった。
【００４４】
この水膜５４は、鋼板１０の先端部が通過する時点では形成されておらず、先端部が通過した後、しばらくたってから形成された。したがって、鋼板１０の先端部のみがよく冷え、水膜５４が形成された後に冷却される定常部との温度差が３０℃もあった。
【００４５】
このように、温度むらが大きくなったので、材質強度のばらつきが大きい鋼板になってしまった。
【００４６】
これに対して、本発明例では、先端が下方に反った鋼板が進入してきた場合でも、保護板３４に当たるだけで、鋼板１０がさらに下方に進入しなかったので、円管ノズル３２等の設備が破損することはなかった。それにより、円管ノズル３２が良好な状態のままで冷却を行うことができたので、設備補修等を行うことなく板幅方向の温度むらの発生を１０℃以内に抑えることができた。また、操業を停止させることもなかったので、高い生産性を維持することができた。
【００４７】
また、所定の配列で円管ノズル３２が配置されているとともに、ヘッダ３１がテーブルローラ１４の軸心１４ａより低い位置に位置しているので、冷却水が円管ノズル３２同士の隙間からスムースに排水されるとともに、ヘッダ３１とテーブルローラ１４の間で流れが阻害されることもなかった。これにより、ヘッダ３１上面に冷却水が滞留することがなく、円管ノズル３２先端の噴出口が水没することがなかったので、鋼板１０下面には常に勢いのある棒状冷却水３３が供給され、効率のよい冷却を行うことができ、上面の冷却と合わせたときの冷却速度は３０℃／ｓにまで向上した。また、鋼板の先端通過から尾端通過まで常に同じ状態で冷却水が供給されたので、長手方向の温度むらは１０℃と小さくなった。
【００４８】
このように、鋼板の長手方向および幅方向とも温度むらを極めて小さく抑えることができたので、材質強度のばらつきを小さくでき、高品質な鋼板を製造することができた。
【図面の簡単な説明】
【００４９】
【図１】薄鋼鈑の熱間圧延ラインの概略図である。
【図２】本発明の一実施形態に係る冷却設備の説明図である。
【図３】本発明の一実施形態におけるヘッダのノズル配置例を示した図である。
【図４】他のノズル配置例を示した図である。
【図５】他のノズル配置例を示した図である。
【図６】他のノズル配置例を示した図である。
【図７】従来技術の説明図である。
【符号の説明】
【００５０】
１０  鋼板
１１  加熱炉
１２  熱間圧延機
１３  ランナウトテーブル
１４  テーブルローラ
１４ａ  テーブルローラの軸心
２０  上面冷却設備
３０  下面冷却設備
３１  ヘッダ
３２  ノズル
３３  冷却水
３４  保護板
３５  保護板
３６  仮想線
５０  下面冷却設備
５１  ヘッダ
５２  噴射口
５３  冷却水
５４  水膜
【図１】
0004774887.tif 000003
【図２】
0004774887.tif 000004
【図３】
0004774887.tif 000005
【図４】
0004774887.tif 000006
【図５】
0004774887.tif 000007
【図６】
0004774887.tif 000008
【図７】
0004774887.tif 000009